(57)【要約】  無線通信ネットワークにおける１つ以上のシステム情報ブロックに特有の物理的ランダムアクセスチャネルプリアンブルおよび／またはランダムアクセスリソースからのマッピング関係を効率的に示すためのいくつかの技術を記載する。１例の方法は、ネットワークノードから、モバイルデバイスによるシステム情報要求の送信のために予約されているランダムアクセスプリアンブルの個数を識別するメッセージを送信するステップを含む。【選択図】図１４
2021517779.tif 000002
【特許請求の範囲】
【請求項１】
無線通信のための方法であって、
ネットワークノードから、モバイルデバイスによるシステム情報要求の送信のために予約されているランダムアクセスプリアンブルの数を識別するメッセージを送信するステップを有する、
方法。
【請求項２】
無線通信のための方法であって、
メッセージ内に示される送信ビーム毎のランダムアクセス送信機会の数に基づいて、ネットワークノードによって、システム情報要求をプリアンブルまたはランダムアクセス送信機会にマッピングするステップを有する、
方法。
【請求項３】
前記メッセージは、無線リソース制御（ＲＲＣ）メッセージであり、
前記メッセージは、モバイルデバイスによるシステム情報要求のための手順を定義する１つ以上の追加パラメータをさらに含む、
請求項１または２記載の方法。
【請求項４】
前記１つ以上の追加のパラメータは、
（ａ）Ｍｓｇ１ベースのシステム情報（ＳＩ）インデックスリストまたはＭｓｇ１ベースのシステム情報要求ビットマップ；
（ｂ）ランダムアクセスチャネル構成パラメータを識別するランダムアクセスチャネル構成インデックス；
を含む、
請求項３記載の方法。
【請求項５】
前記１つ以上の追加パラメータは、
前記システム情報要求のために予約されたプリアンブルの個数、開始プリアンブルインデックス、１つのタイムスロットにおいて周波数分割多重化されるランダムアクセスチャネル送信機会の個数、
を含む、
請求項４記載の方法。
【請求項６】
前記方法はさらに、
前記ネットワークノードから、システム情報要求の送信のために予約されたプリアンブルの個数の開始インデックスを識別するメッセージを送信するステップを有する、
請求項１または２記載の方法。
【請求項７】
前記方法はさらに、
前記ネットワークノードから、Ｍｓｇ１によって要求されるシステム情報を識別するビットマップを送信するステップを有する、
請求項１から６のいずれか１項記載の方法。
【請求項８】
各Ｍｓｇ１ベースのシステム情報組み合わせについてのインデックスｘはｘ＝Σｎｉ−１（ｉ＊２ｉ−１）であり、ｉは
前記システム情報要求ビットマップ内のｉ番目ビットであり、ｎはＭｓｇ１によって要求されるシステム情報の数を表す整数である、
請求項４記載の方法。
【請求項９】
前記方法はさらに、
システム情報要求プリアンブルの個数を決定するステップ；
前記開始インデックスに基づいて、システム情報要求のために使用されるプリアンブルインデックスを決定するステップ；
プリアンブルインデックスまたはランダムアクセス機会から各システム情報組み合わせへのマッピングを決定するステップ；
送信ビームごとにランダムアクセス機会の数を決定するステップ；
を有する、
請求項１から８のいずれか１項記載の方法。
【請求項１０】
前記ランダムアクセス送信機会の数は、システム情報要求のためのプリアンブルの数を決定するために、および、各システム情報組み合わせとこれに対応するプリアンブルインデックスまたはランダムアクセス送信機会との間のマッピングを決定するために、使用される、
請求項２記載の方法。
【請求項１１】
前記ランダムアクセス機会の数はｍであり、前記プリアンブルの数はｎおよびｍによって決定され、ｎは要求されたＳＩの数を表す整数である、
請求項１０記載の方法。
【請求項１２】
前記ＲＯおよび／または前記プリアンブルインデックスは、ＳＩ組み合わせインデックスによって決定される、
請求項１１記載の方法。
【請求項１３】
各ビームについてのシステム情報ランダムアクセス送信機会の個数は、システム情報要求の送信のために予約されるランダムアクセスプリアンブルの数に基づく、
請求項１記載の方法。
【請求項１４】
前記プリアンブルインデックスの数はｍであり、ここで、ｍは整数であり、各送信ビームはｍ≦２ｎ−１に対してｃｅｉｌ（（２ｎ−１）／ｍ）個のランダムアクセス伝送機会を割り当てられ、ｎは前記インデックスリスト内のエントリの数を表す整数であり、ｃｅｉｌ（）は天井関数である、
請求項１３記載の方法。
【請求項１５】
前記予約されたプリアンブルインデックスの数はＭであり、Ｍ＞２ｎ−１であり、ｎはインデックスリスト内のエントリの個数であり、Ｂ個のビームについて、ルールに従って、異なるビーム上の異なるＳＩ組み合わせに割り当てられる、プリアンブルとランダムアクセス伝送のＢ＊（２ｎ−１）個の異なる組み合わせが存在する、
請求項１３記載の方法。
【請求項１６】
前記ルールは、
単一のランダムアクセス送信機会においてプリアンブルインデックスを増加させ、その後、周波数分割多重化ランダムアクセス送信機会の数を増加させ、その後、ランダムアクセス送信タイムスロット内で時間多重化ランダムアクセス送信機会の数を増加させ、その後、ランダムアクセス送信タイムスロットの増加する順序で続く
ことを指定する、
請求項１５記載の方法。
【請求項１７】
無線通信のための方法であって、
モバイルデバイスによって、前記モバイルデバイスがシステム情報要求を送信するために予約されているランダムアクセスプリアンブルの個数を識別するメッセージを受信するステップを有する、
方法。
【請求項１８】
無線通信のための方法であって、
メッセージ内に示された送信ビーム毎のランダムアクセス送信機会の数に基づいて、モバイルデバイスによって、システム情報要求をプリアンブルにマッピングするか、またはランダムアクセス送信機会にマッピングするステップを有する、
方法。
【請求項１９】
前記メッセージは、無線リソース制御（ＲＲＣ）メッセージであり、
前記メッセージは、モバイルデバイスによるシステム情報要求のための手順を定義する１つ以上の追加パラメータをさらに含む、
請求項１７または１８記載の方法。
【請求項２０】
前記１つ以上の追加のパラメータは、
（ａ）Ｍｓｇ１ベースのシステム情報（ＳＩ）インデックスリストまたはＭｓｇ１ベースのシステム情報要求ビットマップ；
（ｂ）ランダムアクセスチャネル構成パラメータを識別するランダムアクセスチャネル構成インデックス；
を含む、
請求項１９記載の方法。
【請求項２１】
前記１つ以上の追加パラメータは、
前記システム情報要求のために予約されたプリアンブルの数、開始プリアンブルインデックス、１つのタイムスロットにおいて周波数分割多重化されるランダムアクセスチャネル送信機会の数、
を含む、
請求項２０記載の方法。
【請求項２２】
前記方法はさらに、
前記モバイルデバイスにおいて、システム情報要求の送信のために予約されたプリアンブルの数の開始インデックスを識別するメッセージを受信するステップを有する、
請求項１７または１８記載の方法。
【請求項２３】
前記方法はさらに、
前記モバイルデバイスにおいて、Ｍｓｇ１によって要求されるシステム情報を識別するビットマップを受信するステップを有する、
請求項１７から２２いずれか１項記載の方法。
【請求項２４】
各Ｍｓｇ１ベースのシステム情報組み合わせについてのインデックスｘはｘ＝Σｎｉ−１（ｉ＊２ｉ−１）であり、ｉは
前記システム情報要求ビットマップ内のｉ番目ビットであり、ｎはＭｓｇ１によって要求されるシステム情報の数を表す整数である、
請求項１９記載の方法。
【請求項２５】
前記方法はさらに、
システム情報要求プリアンブルの個数を決定するステップ；
前記開始インデックスに基づいて、システム情報要求のために使用されるプリアンブルインデックスを決定するステップ；
プリアンブルインデックスまたはランダムアクセス機会から各システム情報組み合わせへのマッピングを決定するステップ；
送信ビームごとにランダムアクセス機会の数を決定するステップ；
を有する、
請求項１７から２４のいずれか１項記載の方法。
【請求項２６】
前記ランダムアクセス送信機会の数は、システム情報要求のためのプリアンブルの数を決定するために、および、各システム情報組み合わせとこれに対応するプリアンブルインデックスまたはランダムアクセス送信機会との間のマッピングを決定するために、使用される、
請求項１８記載の方法。
【請求項２７】
前記ランダムアクセス機会の数はｍであり、前記プリアンブルの数はｎおよびｍによって決定され、ｎは要求されたＳＩの数を表す整数である、
請求項２６記載の方法。
【請求項２８】
前記ランダムアクセス機会および／または前記プリアンブルインデックスは、前記システム情報組み合わせインデックスによって決定される、
請求項２７記載の方法。
【請求項２９】
各ビームについてのシステム情報ランダムアクセス送信機会の個数は、システム情報要求の送信のために予約されるランダムアクセスプリアンブルの数に基づく、
請求項１７記載の方法。
【請求項３０】
前記プリアンブルインデックスの数はｍであり、ここで、ｍは整数であり、各送信ビームはｍ≦２n−１に対してｃｅｉｌ（（２ｎ−１）／ｍ）個のランダムアクセス伝送機会を割り当てられ、ｎは前記インデックスリスト内のエントリの数を表す整数であり、ｃｅｉｌ（）は天井関数である、
請求項２９記載の方法。
【請求項３１】
前記予約されたプリアンブルインデックスの数はＭであり、Ｍ＞２ｎ−１であり、ｎはインデックスリスト内のエントリの個数であり、Ｂ個のビームについて、ルールに従って、異なるビーム上の異なるＳＩ組み合わせに割り当てられる、プリアンブルとランダムアクセス伝送のＢ＊（２ｎ−１）個の異なる組み合わせが存在する、
請求項２９記載の方法。
【請求項３２】
前記ルールは、
単一のランダムアクセス送信機会においてプリアンブルインデックスを増加させ、その後、周波数分割多重化ランダムアクセス送信機会の数を増加させ、その後、ランダムアクセス送信タイムスロット内で時間多重化ランダムアクセス送信機会の数を増加させ、その後、ランダムアクセス送信タイムスロットの増加する順序で続く
ことを指定する、
請求項１５記載の方法。
【請求項３３】
請求項１から３２のいずれか１項記載の方法を実施するように構成されたプロセッサを備える無線通信装置。
【請求項３４】
コンピュータ読み取り可能なプログラム媒体コードを含むコンピュータプログラム製品であって、前記コードはプロセッサによって実行されるとき、前記プロセッサに請求項１から３２のいずれか１項記載の方法を実装させる、コンピュータプログラム製品。
【発明の詳細な説明】
【技術分野】
【０００１】
この文書は、無線通信のためのシステム、装置、および技術に関する。
【背景技術】
【０００２】
より大きな配置柔軟性、多数のデバイスおよびサービスのサポート、ならびに効率的な帯域幅利用のための異なる技術を提供する次世代無線通信ネットワークを定義するための努力が、現在進行中である。また、次世代無線通信ネットワークは、現在利用可能なコアネットワークを超える追加サービスと柔軟性を提供する新しいコアネットワークを展開することが期待されている。
【発明の概要】
【発明が解決しようとする課題】
【０００３】
この文書は、とりわけ、システム情報要求とランダムアクセス送信機会との間のマッピングを効率的にシグナリングするための技術を記載する。
【課題を解決するための手段】
【０００４】
１つの例示的な態様において、無線通信の方法が開示される。この方法は、ネットワークノードから、モバイルデバイスによるシステム情報要求の送信のために予約されたランダムアクセスプリアンブルの個数を識別するメッセージを送信するステップを有する。
【０００５】
別の例示的な態様において、無線通信の方法が開示される。この方法は、ネットワークノードによって、メッセージに示された送信ビームごとのランダムアクセス送信機会の数に基づいて、システム情報要求をプリアンブルまたはランダムアクセス送信機会にマッピングするステップを有する。
【０００６】
さらに別の例示的な態様において、無線通信の方法が開示される。この方法は、モバイルデバイスによって、前記モバイルデバイスによるシステム情報要求の送信のために予約されているランダムアクセスプリアンブルの個数を識別するメッセージを受信するステップを有する。
【０００７】
さらに別の例示的な態様において、無線通信の方法が開示される。この方法は、モバイルデバイスによって、メッセージに示された送信ビームごとのランダムアクセス送信機会の数に基づいて、システム情報要求をプリアンブルまたはランダムアクセス送信機会にマッピングするステップを有する。
【０００８】
さらに別の例示的な態様において、プロセッサを備える無線通信装置が開示される。前記プロセッサは、本明細書に記載する方法を実施するように構成される。
【０００９】
別の実施形態において、本明細書に記載する様々な技術をプロセッサ実行可能コードとして具体化し、コンピュータ読み取り可能なプログラム媒体に格納することができる。
【００１０】
１つまたは複数の実施形態の詳細は、添付の図面および以下の説明に記載される。他の特徴は、詳細説明、図面、ならびに特許請求の範囲から明らかになるであろう。
【図面の簡単な説明】
【００１１】
【図１】ランダムアクセスチャネル機会（ＲＯ）のビームへのマッピングの例を示す。
【００１２】
【図２】システム情報（ＳＩ）要求とＲＯとの間の例示的なマッピングを示す。
【００１３】
【図３】ＲＯビームと送信ビームとの間の例示的なマッピングを示す。
【００１４】
【図４】各送信ビームにおけるＳＩ要求とＲＯとの間のマッピングの例を示す。
【００１５】
【図５】異なるビームが１つのＲＯにおいて通知される例を示す。
【００１６】
【図６】ＲＯビームと送信ビームとの間のマッピングの例を示す。
【００１７】
【図７】送信ビーム上のＳＩ要求とＲＯとの間のマッピングの例を示す。
【００１８】
【図８】ＳＩリクエストとＲＯとの間のマッピングの１例を示す。
【００１９】
【図９】各送信ビームのＲＯに対するマッピングの１例を示す。
【００２０】
【図１０】ＳＩリクエストとＲＯとの間のマッピングの１例を示す。
【００２１】
【図１１】ＳＩリクエストとＲＯとの間のマッピングの１例を示す。
【００２２】
【図１２】各送信ビームのＲＯに対するマッピングの１例を示す。
【００２３】
【図１３】ＳＩ要求からＲＯへのマッピングの例を示す。
【００２４】
【図１４】無線リソース層とメディアアクセス層との間で交換されるメッセージの１例を示す。
【００２５】
【図１５】無線通信方法の１例を示すフローチャートである。
【００２６】
【図１６】無線通信方法の１例を示すフローチャートである。
【００２７】
【図１７】無線通信装置の１例を示すブロック図である。
【００２８】
【図１８】例示的な無線通信ネットワークを示す。
【００２９】
各図面における同じ参照記号は同じ要素を示す。
【発明を実施するための形態】
【００３０】
無線通信ネットワークにおいては、スマートフォン、タブレット、ラップトップ、マシンツーマシン（Ｍ２Ｍ）通信デバイス、またはＩｏＴ（Ｉｎｔｅｒｎｅｔ  of  Things）デバイスなどのユーザ機器（ＵＥ）またはモバイルデバイスが通信ネットワークに参加している間に、ネットワークとユーザデバイスとの間のさらなる通信を確立するのに役立つ無線ネットワークのパラメータ（たとえば、システム情報またはＳＩ）をユーザデバイスが取得するために、ランダムアクセス手順が使用される。ランダムアクセス手順の間に交換される情報の量は大きなオーバーヘッドとなり、ネットワーク内のデータ通信から帯域幅を取り去る可能性がある。この問題は、来るべき５Ｇネットワークおよび新しい無線フレームワークにおいて特に重要になってきている。これは、多重送信ビームの使用と、ネットワークが異なるビームを漸進的に送信しユーザ装置がネットワークノード（例えば、基地局）との間の通信のために最良のビームを計算するビーム掃引の使用とによるものである。ランダムアクセスチャネル（ＲＡＣＨ、現在のドキュメントではＲａｃｈとも呼ばれる）リソースとシステム情報（ＳＩ）要求との間のマッピング関係を明示的に示すためには、過剰に多くのビットが必要である。
【００３１】
ＬＴＥにおいてはすべてのＳＩが定期的にブロードキャストされるが、ＮＲにおいてはオンデマンドメカニズムが導入され、それによって、ＵＥは常にブロードキャストされているわけではないシステム情報を取得するためにＳＩ要求を送信する。どのＭｓｇが使用されたかに基づいて、２つのＳＩ要求スキームがある。メッセージは、ランダムアクセス手順中にネットワークとユーザデバイスとの間の初期通信のためにシステムによって事前に定義されたメッセージである。
【００３２】
２つの要求スキームは、Ｍｓｇ１ベースとＭｓｇ３ベースである。以前の会合では、以下の合意がなされている：
【００３３】
（ａ）ＵＥが取得する必要がある各ＳＩＢまたはＳＩＢのセット固有のＰＲＡＣＨプリアンブルおよび／またはＰＲＡＣＨリソースが最小ＳＩに含まれる場合、ＳＩ要求はＭＳＧ１を使用して通知される。
【００３４】
（ｂ）ＭＳＧ１ベースのＳＩ要求の場合、要求されるＳＩの最小粒度は、１つのＳＩメッセージ（ＬＴＥにおけるＳＩＢのセット）である。
【００３５】
（ｃ）ＭＳＧ１ベースのＳＩ要求の場合、１つのＲＡＣＨプリアンブルを使用して、複数のＳＩメッセージを要求することができる。
【００３６】
しかし、各ＳＩＢまたはＳＩＢのセットに固有のＰＲＡＣＨプリアンブルおよび／またはＰＲＡＣＨリソースをどのようにマッピングするかは、依然としてオープンな問題である。一方、このマッピングに対するビーム掃引の影響も考慮される。これは、要求されたＳＩに加えて、ノードＢは、ＰＲＡＣＨプリアンブルおよび／またはＰＲＡＣＨリソースから最良のＤＬビームを区別することを意味する。
【００３７】
通常のＲａｃｈ手順の場合、ノードＢは表１にリストされているように、以下の合意およびＡＳＮ１コーディングに基づいて、最良のＤＬビームを区別する：
【００３８】
ｇＮＢは、ＲＭＳＩにおいて以下を構成する：（１）ＲＡＣＨ送信機会当たりのＳＳＢ当たりのＣＢＲＡプリアンブルの数、（２）ＲＡＣＨ送信機会当たりのＳＳＢの数、（３）ＲＡＣＨ送信機会当たりのＳＳＢ当たりのＣＢＲＡプリアンブルの数、（４）値の範囲の最大サイズ：４ビット、（５）ＲＡＣＨ機会当たりのＳＳＢの数、（６）値の範囲の最大サイズ：３ビット。
【００３９】
いくつかの実施形態では、実際に送信されたＳＳ／ＰＢＣＨブロックが以下の順序でＲＡＣＨ送信に関連付けられる：
【００４０】
最初に、単一のＲＡＣＨ機会内でプリアンブルインデックスを増加させる。
【００４１】
次に、周波数多重化ＲＡＣＨの機会を増やす。
【００４２】
次に、ＲＡＣＨスロット内の時間ドメインＲＡＣＨ機会の数を増加する。
【００４３】
次に、ＲＡＣＨスロットの数を増やす。
【００４４】
１つのＲＡＣＨ機会に関連する同期シーケンスおよび物理ブロードキャストチャネルＳＳ／ＰＢＣＨブロック（ＳＳＢ）の数は、パラメータＳＳＢ／ｒａｃｈ機会によって決定される。ＳＳＢ−ｐｅｒ−ｒａｃｈ−ｏｃｃａｓｉｏｎｓが１未満である場合、１つのＳＳ／ＰＢＣＨが、１／ＳＳＢ−ｐｅｒ−ｒａｃｈ−ｏｃｃａｓｉｏｎ連続ＲＡＣＨ機会にマッピングされる。
【００４５】
関連するＡＳ１符号化は、以下のように列挙される：
【表１】
2021517779.tif 000003
【００４６】
この規則に基づいて、ネットワークは、ＲＡＣＨ機会当たりのＳＳＢの数と、ＳＳＢ当たりの競合ベースプリアンブルの数とを示す。
【表２】
2021517779.tif 000004
【００４７】
各ＳＳＢ（または各ビームディレクション）において８つのＲＯがあり（または各ＲＯに対して１／８のＳＳＢがあり）、各ＲＯに対して４０のプリアンブルを使用することができる。
【表３】
2021517779.tif 000005
【００４８】
各ＲＯに対して、１６の異なるビームが存在し、異なるビームを示すために異なるプリアンブルインデックスが必要とされる。そのために、最大で６４個のプリアンブルインデックスがあり、したがって、各ビームについて、最大で６４／１６個のプリアンブルがある。
【００４９】
ＳＩリクエストがトリガーするＲａｃｈ手続きに関しては、相違するのは、最良のビーム情報の他に、専用のＳＩ組み合わせも通知されることである。以下のような完全に明示的な方法が使用される場合、必要なビットが多過ぎ、ＳＩＢ１のサイズが大きくなる。
【表４】
2021517779.tif 000006
【００５０】
本文書では、ＰＲＡＣＨプリアンブルおよび／またはＰＲＡＣＨリソースから各ＳＩＢまたはＳＩＢのセット固有のマッピング関係を示すより効率的な方法を開示し、このマッピングに対するビーム掃引効果も考慮した。セクション見出しは、理解を容易にするためにのみ本文書で使用され、任意のセクションで説明される主題および実施形態の範囲をそのセクションのみに限定するものではない。
【００５１】
＜方法の例＞
【００５２】
図１５は、無線通信の例示的な方法１５００のフローチャートを示す。方法１５００は、ネットワークノードから、モバイルデバイスによるシステム情報要求の送信のために予約されているランダムアクセスプリアンブルの個数を識別するメッセージを送信するステップを有する（１５０２）。
【００５３】
図１５は、無線通信の例示的な方法１５５０のフローチャートを示す。方法１５５０は、送信ビームごとのランダムアクセス送信機会の数に基づいて、ネットワークノードによって、システム情報要求をプリアンブルまたはランダムアクセス送信機会にマッピングするステップ（１５５２）を有する。
【００５４】
図１６は、無線通信の例示的な方法１６００のフローチャートを示す。この方法は、モバイルデバイスによって、前記モバイルデバイスによるシステム情報要求の送信のために予約されたランダムアクセスプリアンブルの個数を識別するメッセージを受信するステップ（１６０２）を有する。
【００５５】
図１６は、無線通信の例示的な方法１６５０のフローチャートを示す。方法１６５０は、モバイルデバイスによって、各送信ビームについてのランダムアクセス送信機会の数に基づいて、システム情報要求をプリアンブルまたはランダムアクセス送信機会にマッピングするステップ（１５５２）を有する。
【００５６】
例えば、方法１５００、１６００、１５５０、１６５０において、ネットワークノードはセルラ通信システムの基地局またはｇＮｏｄｅＢである。ランダムアクセスプリアンブルは例えば、５ＧシステムにおけるＲＡＣＨプリアンブルであってもよい。例えば、ランダムアクセス送信機会は、図１〜１２に関して説明されるようなＲＡＣＨ機会（ＲＯ）であってもよい。
【００５７】
上述の方法１５００、１５５０、１６００および１６５０において、メッセージは無線リソース制御（ＲＲＣ）メッセージであってもよく、メッセージはさらに、モバイルデバイスによるシステム情報要求のための手順を定義する１つ以上の追加パラメータを含む。いくつかの実施形態では、１つまたは複数の追加パラメータは以下を含む：（ａ）Ｍｓｇ１ベースのシステム情報（ＳＩ）インデックスリストまたはＭｓｇ１ベースのシステム情報要求ビットマップ、（ｂ）ランダムアクセスチャネル構成パラメータを識別するランダムアクセスチャネル構成インデックス。いくつかの実施形態では、以下の追加のパラメータを含むことができる：システム情報要求のために予約されたプリアンブルの個数、開始プリアンブルインデックス、または１つのタイムスロットで周波数分割多重化されたランダムアクセスチャネル送信機会の個数。
【００５８】
いくつかの実施形態ではたとえば、方法１５００および１６００に関して、ネットワークノードは要求されるべきシステム情報を識別するビットマップを送信することができる。実施形態において、各Ｍｓｇ１ベースのシステム情報の組み合わせに対するインデックスｘは、ｘ＝Σｎｉ＝１（ｉ＊２ｉ−１）であり、ｉはシステム情報要求ビットマップ内のｉ番目のビット、ｎは要求されるべきシステム情報の数を表す整数である。
【００５９】
いくつかの実施形態では、方法１５００、１５５０、１６００、１６５０はさらに以下を含むことができる：システム情報要求プリアンブルの個数を決定するステップ；開始インデックスに基づいて、システム情報要求に使用されるプリアンブルインデックスを決定するステップ；プリアンブルインデックスまたはランダムアクセス機会から各システム情報組み合わせへのマッピングを決定するステップ；各送信ビームについてランダムアクセス機会の数を決定するステップ。
【００６０】
方法１５５０および１６５０に関して、いくつかの実施形態では、各ビームについてのシステム情報ランダムアクセス送信機会の個数はパラメータに基づく。例えば、パラメータはシステム情報要求のためのプリアンブルの数を決定するために、および各システム情報組み合わせとこれに対応するプリアンブルインデックスまたはランダムアクセス送信機会との間のマッピングを決定するために使用される。いくつかの実施形態では各ＲＯに対するＳＳＢの数はｍであり、プリアンブルの数はｎおよびｍによって決定され、ここで、ｎは要求されたＳＩの数を表す整数である。
【００６１】
さらなる実施形態および実施例を以下に記載する。例の理解を深めるために、さまざまな例に付随する表内に、ＡＳＮ１状の疑似コードが用意されている。これらの表は、様々な例示的なパラメータおよびフィールドの使用法、ならびにこれらのパラメータが例えばＮＲ規格においてとり得る値を説明する。さらに、図１、図３、図６および図９は、水平軸に沿ったサブフレーム番号と、周波数ｆを表す垂直軸に沿った異なるビームに対する対応するランダムアクセス伝送機会（ＲＯ）とを記載する。図２、図４、図５、図７、図８、図１０〜図１３において、横軸は送信タイムスロットを表し、縦軸は周波数ｆを表し、２次元リソース平面におけるＲＯとビームのマッピングをスロットと周波数で表している。
【００６２】
実施例１：ノードＢは、ＳＩ要求のために予約されたプリアンブルの数を通知する。場合によっては、これらのプリアンブルはＳＩ要求のためだけに使用される。
【００６３】
実施例１−１：
【００６４】
この例ではネットワークノード、例えば、ノードＢはＳＩ要求のために予約されたプリアンブルの数を通知し、これらのプリアンブルはＳＩ要求のためだけに使用される。表５は使用例を示す。
【表５】
2021517779.tif 000007
【００６５】
実施例１−２：
【００６６】
ＮｏｄｅＢは、ＳＩ要求のために使用される開始プリアンブルインデックスを通知する。これが存在しない場合、開始プリアンブルインデックスはＣＢ−ｐｒｅａｍｂｌｅｓ−ｐｅｒ−ＳＳＢに依存する。ＣＢ−ｐｒｅａｍｂｌｅｓ−ｐｅｒ−ＳＳＢは、ＳＳＢごとの通常のＲＡの数である。表６は、これらのパラメータの使用例を示している。
【表６】
2021517779.tif 000008
【００６７】
実施例１−３：ＮｏｄｅＢはＭｓｇ１ベースのＳＩリクエストビットマップを通知する。表７に、ＳＩＢ１  メッセージのパラメータ値の例を示す。
【表７】
2021517779.tif 000009
【００６８】
実施例２：
【００６９】
実施例２−１：ＵＥ側において、ＵＥは、Ｍｓｇ１ベースのＳＩインデックスリストを決定する。表８は、ビットマップとその解釈の例を示している。
【表８】
2021517779.tif 000010
【００７０】
実施２−２：ＲＲＣはＭｓｇ１ベースのＳＩ要求手順のために、以下のＳＩ要求関連パラメータを構成する：
【００７１】
−ＳＩ要求が存在する場合、その要求のために予約されたプリアンブルの数。（このパラメータはオプションである）。
【００７２】
−開始プリアンブルインデックスが存在する場合、その値（このパラメータはオプションである）。
【００７３】
−Ｍｓｇ１ベースのＳＩインデックスリストまたはＭｓｇ１−ｂａｓｅｄＳＩＲｅｑＢｉｔｍａｐ。
【００７４】
−１つのタイムスロットにおいてＦＤＭｅｄされたＰＲＡＣＨ送信機会の数（このパラメータはオプションである）
【００７５】
−Ｐｒａｃｈ構成インデックス。図１４は、基地局側またはモバイルデバイス側の例示的な実装における無線リソース制御層（ＲＲＣ）から媒体アクセス制御（ＭＡＣ）層へのメッセージ交換を示す。
【００７６】
実施例２−３：ＵＥ側では、表９に示すように、以下のパラメータに基づいてプリアンブルインデックスを決定する。
【表９】
2021517779.tif 000011
【００７７】
以下の疑似コードで使用方法を説明する：
【００７８】
１＞ｎｕｍｂｅｒＯｆＲＡ−ＰｒｅａｍｂｌｅｓＦｏｒＳＩＲｅｑが存在する場合
【００７９】
２＞ｐｒｅａｍｂｌｅＦｏｒＳＩＲｅｑＩｎｄｅｘ−Ｓｔａｒｔが存在する場合、ＳＩリクエストに使用されるプリアンブルインデックスは：
【００８０】
[preambleForSIReqIndex- Start ,  preambleForSIReqIndex- Start + numberOfRA-PreamblesForSIReq-1]
【００８１】
２＞それ以外の場合、ＳＩリクエストに使用されるプリアンブルインデックスは：
【００８２】
[CB-PreamblesPerSSB , CB-PreamblesPerSSB+ numberOfRA-PreamblesForSIReq-1]
【００８３】
１＞それ以外の場合
【００８４】
２＞ｐｒｅａｍｂｌｅＦｏｒＳＩＲｅｑＩｎｄｅｘ−Ｓｔａｒｔが存在する場合、ＳＩリクエストに使用されるプリアンブルインデックスは：
【００８５】
[preambleForSIReqIndex- Start ,  preambleForSIReqIndex- Start + ActualNeededPreambles-1]
【００８６】
２＞それ以外の場合、ＳＩリクエストに使用されるプリアンブルインデックスは：
【００８７】
[CB-PreamblesPerSSB+1 , CB-PreamblesPerSSB+ ActualNeededPreambles]
【００８８】
ここで、ＣＢ−ＰｒｅａｍｂｌｅｓＰｅｒＳＳＢは各ＳＳＢ上の通常ＲＡのために使用される最後のプリアンブルインデックスであり、ＡｃｔｕａｌＮｅｅｄｅｄＰｒｅａｍｂｌｅｓ＝（２ｎ−１）＊ｓｓｂｐｅｒＲＡＣＨＯｃｃａｓｉｏｎはＳＩ要求のために実際に使用されるプリアンブルの数であり、ｎはＭｓｇ１ベースのＳＩの数である。
【００８９】
numberOfRA-PreamblesForSIReq  /n/ssb-perRACH-Occasion/CB-PreamblesPerSSBの構成は、１つのＲＯ内のプリアンブルの数が６４以下であることを保証する。使用方法およびパラメータ値を表１０に示す。
【表１０】
2021517779.tif 000012
【００９０】
次に、ＳＩ  リクエストのために使用されるプリアンブルインデックスは［４０，４９］である。別の例を表１１に示す。
【表１１】
2021517779.tif 000013
【００９１】
次に、ＳＩ要求に使用されるプリアンブルインデックスは［４０，４０＋ｘ−１］であり、ここでｘ＝（２ｎ−１）＊ｓｓｂｐｅｒＲＡＣＨＯｃｃａｓｉｏｎおよびｎはＭＳＧ１ベースのＳＩの数である。
【表１２】
2021517779.tif 000014
【００９２】
表１２に示されるパラメータ値について、ＳＩリクエストのために使用されるプリアンブルインデックスは［３７，３６＋ｘ］であり、ｘ＝（２ｎ−１）＊ｓｓｂｐｅｒＲＡＣＨＯｃｃａｓｉｏｎおよびｎはＭＳＧ１ベースのＳＩの数である。
【００９３】
実施例３：次に、例１−１に示すように、ネットワークはＮｕｍｂｅｒＯｆＲＡ−ＰｒｅａｍｂｌｅｓＦｏｒＳＩＲｅｑを通知する。ＭＡＣエンティティは、ＮｕｍｂｅｒＯｆＲＡ−ＰｒｅａｍｂｌｅｓＦｏｒＳＩＲｅｑに基づいて、対応するプリアンブルインデックスとＲＡＣＨリソースを決定する。
【００９４】
実施例３−１：ＳＩリクエストのために予約されたプリアンブルの数は、Ｍｓｇ１ベースのＳＩの組み合わせの数：（２ｎ−１）に等しく、ここで、ｎはＭｓｇ１ベースのＳＩの数である。
【００９５】
ビーム数＝４と仮定し、ＲＲＣがＭｓｇ１ベースのＳＩ要求手順のために以下のパラメータを構成すると仮定する：
【００９６】
−ＳＩリクエストのために予約されたプリアンブルの数：１５
【００９７】
−Ｍｓｇ１ベースのＳＩインデックスリスト：ＳＩ１／ＳＩ２／ＳＩ３／ＳＩ４
【００９８】
−１つのタイムスロットにおいてＦＤＭｅｄされたＰＲＡＣＨ送信機会数：２
【００９９】
−Ｐｒａｃｈ構成インデックス  １２（プリアンブルはサブフレーム＝０，２，４，６，８の偶数ＳＦＮでのみ送信された）。これらのパラメータ値が表１３に示されている。以下の説明ではマッピングを取得するために無線デバイスによって実行されるステップが開示されている。無線デバイスは、ネットワーク側デバイス（例えば、ネットワークノード）またはユーザデバイスであってもよい。
【表１３】
2021517779.tif 000015
【０１００】
ステップ１：以下の要求されたＳＩビットマップに基づいて各ＳＩ組み合わせを識別する（表１４）：
【表１４】
2021517779.tif 000016
【０１０１】
ステップ２：次いで、各ビームについて、ｃｅｉｌ（（２４−１）／１５）＝１のＲＯが使用されることになり、ＲＯから各ビームへのマッピングが図１に示される。
【０１０２】
ステップ３：各ビーム上のＳＩリクエストからＲＯへのマッピングを図２に示す。
【０１０３】
図２において、ｋ番目のプリアンブルは実施例２−３で説明したように、ＳＩプリアンブルプール内のｋ番目のプリアンブルである。
【０１０４】
ＵＥとＮｏｄｅＢの両方が上記と同じマッピングルールに準拠する。
【０１０５】
実施例３−２：ＳＩリクエスト用に予約されているプリアンブルの数はＭｓｇ１ベースのＳＩ組み合わせの数：（２ｎ−１）  よりも少なく、ここで、ｎはＭｓｇ１ベースのＳＩの数である。
【０１０６】
ビーム数＝４と仮定し、ＲＲＣがＭｓｇ１ベースのＳＩ要求手順のために以下のパラメータを構成すると仮定する：
【０１０７】
−ＳＩ要求のために予約されたプリアンブルの数：４
【０１０８】
−Ｍｓｇ１ベースのＳＩインデックスリスト：ＳＩ１／ＳＩ２／ＳＩ３／ＳＩ４
【０１０９】
−１つのタイムスロットにおいてＦＤＭｅｄされたＰＲＡＣＨ送信機会数：２
【０１１０】
−Ｐｒａｃｈ構成インデックス１２（プリアンブルは、サブフレーム＝０，２，４，６，８を有する偶数ＳＦＮにおいてのみ送信された。
【０１１１】
ステップ１：表１のように、要求されたＳＩビットマップに基づいて各ＳＩ組み合わせを識別する：
【０１１２】
ステップ２：次いで、各ビームについて、ｃｅｉｌ（（２４−１）／４）＝４のＲＯが必要であり、ＲＯから各ビームへのマッピングは図３に示される。
【０１１３】
ステップ３：  各ビームのＳＩリクエストからＲＯへのマッピングは、次のように示される（ここではビーム１のプリアンブルとＳＩの組み合わせマッピングを例にとる）
【０１１４】
図４において、ｋ番目のプリアンブルは実施例２−３で説明したように、ＳＩプリアンブルプール内のｋ番目のプリアンブルである。
【０１１５】
ビーム２上のＲＯ５〜ＲＯ８、ビーム３上のＲＯ９〜ＲＯ１２、ビーム４上のＲＯ１３〜ＲＯ８１６についても、同様のマッピング原理を用いる。ＵＥとＮｏｄｅＢの両方で、上記と同じマッピングルールが使用される。
【０１１６】
実施例３−３：ＳＩ要求用に予約されているプリアンブルの数はＭｓｇ１ベースのＳＩ  組み合わせの数：（２ｎ−１）  よりも多くなる。ここで、ｎはＭｓｇ１ベースのＳＩ  の数である。
【０１１７】
ビーム数＝４と仮定し、ＲＲＣがＭｓｇ１ベースのＳＩ要求手順のために以下のパラメータを構成すると仮定する：
【０１１８】
−ＳＩ要求のために予約されたプリアンブルの数：２０
【０１１９】
−Ｍｓｇ１ベースのＳＩインデックスリスト：ＳＩ１／ＳＩ２／ＳＩ３／ＳＩ４
【０１２０】
−１つのタイムスロットにおいてＦＤＭｅｄされたＰＲＡＣＨ送信機会数：２
【０１２１】
−Ｐｒａｃｈ構成インデックス１２（プリアンブルは、サブフレーム＝０，２，４，６，８を有する偶数ＳＦＮにおいてのみ送信された。
【０１２２】
ステップ１：表１のように、要求されたＳＩビットマップに基づいて各ＳＩ組み合わせを識別する：
【０１２３】
ステップ２：次いで、各ビームに対して、ｃｅｉｌ（（２４−１）／２０）＝１のＲＯが必要とされ、各ビーム上のＳＩ要求からＲＯへのマッピングは、以下のように示される。
【０１２４】
１つのＲＯにおいて、異なるビームが示されることが理解されるであろう。
【０１２５】
図５において、ｋ番目のプリアンブルは実施例２−３で説明したように、ＳＩプリアンブルプール内のｋ番目のプリアンブルである。
【０１２６】
ＵＥとＮｏｄｅＢはどちらも上記と同じマッピングルールを使用する。
【０１２７】
実施例４：ネットワークはＮｕｍｂｅｒＯｆＲＡ−ＰｒｅａｍｂｌｅｓＦｏｒＳＩＲｅｑ  を通知しない。ＭＡＣエンティティは、ＲＡＣＨオケージョン当たりのＳＳＢの数に基づいて、対応するプリアンブルインデックスおよびＲＡＣＨリソースを決定する。
【０１２８】
実施例４−１：各ＲＯまたは各ＳＳＢに対して１／２のＳＳＢがあり、２つのＲＯがあり、３６個のプリアンブルインデックスが、以下のように通常のＲＡに対して予約される（表１５）：
【表１５】
2021517779.tif 000017
【０１２９】
ビーム数＝４と仮定し、ＲＲＣがＭｓｇ１ベースのＳＩ要求手順のために以下のパラメータを構成すると仮定する：
【０１３０】
−Ｍｓｇ１ベースのＳＩインデックスリスト：ＳＩ１／ＳＩ２／ＳＩ３／ＳＩ４（実施例２−１参照）
【０１３１】
−１つのタイムスロットにおいてＦＤＭｅｄされるＰＲＡＣＨ送信機会数：２
【０１３２】
−Ｐｒａｃｈ構成インデックス１２（プリアンブルは、サブフレーム＝０，２，４，６，８を有する偶数ＳＦＮにおいてのみ送信された。これらの値を表１６に示す。
【表１６】
2021517779.tif 000018
【０１３３】
ステップ１：表１７のように、要求されたＳＩビットマップに基づいて各ＳＩ組み合わせを識別する：
【表１７】
2021517779.tif 000019
【０１３４】
ステップ２：次いで、各ビームについて２つのＲＯがあり、ＲＯから各ビームへのマッピングは図６に示されている。
【０１３５】
ステップ３：各ビームに２つのＲＯ  がある場合、ｃｅｉｌ（（２４−１）／２）＝８のプリアンブルがＳＩリクエスト用に予約される。関連するパラメータが次のように設定されている場合（表１８）：
【表１８】
2021517779.tif 000020
【０１３６】
ＳＩ要求に使用されるプリアンブルインデックスは［４０，４７］となる。各ビーム上のＳＩ要求からＲＯへのマッピングを図７に示す。
【０１３７】
関連するパラメータが次のように設定されている場合（表１９）：
【表１９】
2021517779.tif 000021
【０１３８】
ＳＩ要求に使用されるプリアンブルインデックスは［３７，４４］となる。ＵＥとＮｏｄｅＢの両方が上記と同じマッピングルールに準拠する。各ビーム上のＳＩ要求からＲＯへのマッピングを図８に示す。
【０１３９】
実施例４−２：各ＲＯに対してまたは各ＳＳＢに対して１つのＳＳＢがあり、２つのＲＯがあり、３６個のプリアンブルインデックスが、以下のように通常のＲＡに対して予約される（表２０）：
【表２０】
2021517779.tif 000022
【０１４０】
ビーム数＝４と仮定し、ＲＲＣがＭｓｇ１ベースのＳＩ要求手順のために以下のパラメータを構成すると仮定する：
【０１４１】
−Ｍｓｇ１ベースのＳＩインデックスリスト：ＳＩ１／ＳＩ２／ＳＩ３／ＳＩ４（実施例２−１参照）
【０１４２】
−１つのタイムスロットにおいてＦＤＭｅｄされたＰＲＡＣＨ送信機会数：１
【０１４３】
−Ｐｒａｃｈ構成インデックス１２（プリアンブルは、サブフレーム＝０，２，４，６，８を有する偶数ＳＦＮにおいてのみ送信された。これらの値を表２１に示す。
【表２１】
2021517779.tif 000023
【０１４４】
ステップ１：表２２のように、要求されたＳＩビットマップに基づいて各ＳＩ組み合わせを識別する：
【０１４５】
ステップ２：次いで、各ビームについて１つのＲＯがあり、ＲＯから各ビームへのマッピングは図９に示されている。
【０１４６】
ステップ３：各ビームに２つのＲＯがある場合、（２４−１）＊１＝１５のプリアンブルがＳＩリクエスト用に予約される。関連するパラメータが次のように設定されている場合（表２２）：
【表２２】
2021517779.tif 000024
【０１４７】
ＳＩ要求に使用されるプリアンブルインデックスは［４０，５４］となる。各ビーム上のＳＩ要求からＲＯへのマッピングを図１０に示す。
【０１４８】
関連するパラメータが次のように設定されている場合（表２３）：
【表２３】
2021517779.tif 000025
【０１４９】
ＳＩ要求に使用されるプリアンブルインデックスは［２９，４３］となり、各ビーム上のＳＩ要求からＲＯへのマッピングが図１１に示される。
【０１５０】
ＵＥとＮｏｄｅＢの両方が上記と同じマッピングルールに準拠する。
【０１５１】
実施例４−３：各ＲＯに対してまたは各ＳＳＢに対して２つのＳＳＢがあり、２つのＲＯがあり、３６個のプリアンブルインデックスが、以下のように通常のＲＡに対して予約される（表２４）。
【表２４】
2021517779.tif 000026
【０１５２】
ビーム数＝４と仮定し、ＲＲＣがＭｓｇ１ベースのＳＩ要求手順のために以下のパラメータを構成すると仮定する：
【０１５３】
−Ｍｓｇ１ベースのＳＩインデックスリスト：ＳＩ１／ＳＩ２／ＳＩ３／ＳＩ４（例２−１参照）
【０１５４】
−１つのタイムスロットにおいてＦＤＭｅｄされたＰＲＡＣＨ送信機会数：１
【０１５５】
−Ｐｒａｃｈ構成インデックス１２（プリアンブルは、サブフレーム＝０，２，４，６，８を有する偶数ＳＦＮにおいてのみ送信された。これらの値を表２５に示す。
【表２５】
2021517779.tif 000027
【０１５６】
ステップ１：表２６のように、要求されたＳＩビットマップに基づいて各ＳＩ組み合わせを識別する：
【０１５７】
ステップ２：次いで、各ＲＯに対して２つのビームが存在し、ＲＯから各ビームへのマッピングが図１２に示されている。
【０１５８】
ステップ３：各ＲＯに２つのビームがある場合、（２４−１）＊２＝３０のプリアンブルがＳＩリクエスト用に予約される。関連するパラメータが次のように設定されている場合（表２６）：
【表２６】
2021517779.tif 000028
【０１５９】
プリアンブルの分布は以下のようになる（表２７Ａおよび表２７Ｂ）：
【表２７Ａ】
2021517779.tif 000029
【表２７Ｂ】
2021517779.tif 000030
【０１６０】
ここで、表２７Ａは１例として示されており、次いで、各ビーム上のＳＩ要求からＲＯへのマッピングが図１３に示されている。
【０１６１】
ＵＥとベースステーション（ＮｏｄｅＢなど）は、どちらも上記と同じマッピングルールを使用する。したがって、様々な実施形態において、以下の技法が基地局またはユーザデバイスによる技法のうちの１つまたは複数の組み合わせで実装できる。 
【０１６２】
技法１：ノードＢは、ＳＩ要求のために予約されるプリアンブルの数を通知する。
【０１６３】
技法１．１：プリアンブルの数の明示的な通知がない場合、プリアンブルの数＝（２ｎ−１）＊ｓｓｂｐｅｒＲＡＣＨＯｃｃａｓｉｏｎであり、ｓｓｂｐｅｒＲＡＣＨＯｃｃａｓｉｏｎはＳＩ要求のために実際に使用されるプリアンブルの数であり、ｎはＭｓｇ１ベースのＳＩの数である。ｓｓｂｐｅｒＲＡＣＨＯｃｃａｓｓｉｏｎパラメータは、ＵＥおよびｅＮｏｄｅＢの両方があらかじめ知ることができるものである。
【０１６４】
技法２：ノードＢは、ＳＩ要求のために使用される開始プリアンブルインデックスを通知する。
【０１６５】
手法２．１：  存在しない場合、開始プリアンブルインデックスはパラメータＣＢ−ｐｒｅａｍｂｌｅｓ−ｐｅｒ−ＳＳＢに依存する。ＣＢ−ｐｒｅａｍｂｌｅｓ−ｐｅｒ−ＳＳＢは、同期信号ブロックＳＳＢごとの通常のＲＡの数である。
【０１６６】
技法３：ノードＢは、Ｍｓｇ１ベースのＳＩ要求ビットマップを通知する。
【０１６７】
技法３．１：ＵＥ側において、ＵＥは、Ｍｓｇ１ベースのＳＩ要求ビットマップに基づいてＭｓｇ１ベースのＳＩインデックスリストを決定する。
【０１６８】
技法４：ＲＲＣはＭｓｇ１ベースのＳＩ要求手順のために、以下のＳＩ要求関連パラメータを構成する：
【０１６９】
−ＳＩリクエストが存在する場合、そのために予約されたプリアンブルの数（このパラメータはオプションである）
【０１７０】
−開始プリアンブルインデックスが存在する場合、その値（このパラメータはオプション）
【０１７１】
−Ｍｓｇ１ベースのＳＩインデックスリストまたはＭｓｇ１−ｂａｓｅｄＳＩＲｅｑＢｉｔｍａｐ
【０１７２】
−１つのタイムスロットにおけるＰＲＡＣＨ送信機会の数を周波数分割多重（ＦＤＭｅｄ）したもの（このパラメータはオプションである）
【０１７３】
−Ｐｒａｃｈ構成インデックス。
【０１７４】
技法５：ＭＡＣエンティティは、Ｍｓｇ１ベースのＳＩコンビネーションをソートする。
【０１７５】
技法５．１  ＳＩ要求を通知するためにビットマップを使用し、１はこのＳＩが要求されることを意味し、０はこのＳＩが必要とされないことを意味する。
【０１７６】
技法５．２  各ＳＩ組合せのインデックスはｘ＝Σｎｉ＝１（ｉ＊２ｉ−１）であり、ｉは要求ＳＩビットマップ内のｉ番目のビットであり、ｎはＭｓｇ１ベースのＳＩの数である。
【０１７７】
技法６：ＭＡＣエンティティは、ＳＩ要求を各ＲＯおよび各ビームにマッピングする。
【０１７８】
技法６．１：ＳＩ要求のために予約されたプリアンブルの数が通知されない場合、ＭＡＣエンティティはｓｓｂ−ｐｅｒＲＡＣＨ−ＯｃｃａｓｉｏｎＡに基づいて各ビームのＲＯ数を決定する。
【０１７９】
技法６．１．１：  ＭＡＣエンティティは、Ｍｓｇ１ベースＳＩの数およびｓｓｂ−ｐｅｒＲＡＣＨ−ＯｃｃａｓｉｏｎＡに基づいて、ＳＩリクエストプリアンブルの数を決定する。
【０１８０】
この場合、プリアンブル数Ｍ＝ｃｅｉｌ（（２ｎ−１）＊ｓｓｂｐｅｒＲＡＣＨＯｃｃａｓｉｏｎ）となる。
【０１８１】
技術６．１．２：ＭＡＣエンティティは、開始プリアンブルインデックスに基づいて、ＳＩ要求のために使用されるプリアンブルインデックスをさらに決定する。
【０１８２】
技法６．１．２．１：ｐｒｅａｍｂｌｅＦｏｒＳＩＲｅｑＩｎｄｅｘ−Ｓｔａｒｔが存在する場合、ＳＩ要求に使用されるプリアンブルインデックスは以下である：
【０１８３】
[preambleForSIReqIndex- Start ,  preambleForSIReqIndex- Start + M-1]
【０１８４】
技法６．１．２．２：それ以外の場合、ＳＩ  要求に使用されるプリアンブルインデックスは以下である：
【０１８５】
[CB-PreamblesPerSSB+1 , CB-PreamblesPerSSB+ M]
【０１８６】
技法６．１．３：ＭＡＣエンティティは、プリアンブルインデックスおよび／またはＲＯから各ＳＩ組み合わせへのマッピングを決定する。
【０１８７】
技法６．１．３．１：各ＲＯについて、プリアンブルの数＝ｃｅｉｌ（（２ｎ−１）＊ｓｓｂｐｅｒＲＡＣＨＯｃｃａｓｉｏｎ）を有するｃｅｉｌ（（２ｎ−１）＊ｓｓｂｐｅｒＲＡＣＨＯｃｃａｓｉｏｎ）のＳＩ組み合わせが存在する。
【０１８８】
技法６．１．３．２：ｓｓｂｐｅｒＲＡＣＨＯｃｃａｓｉｏｎ≦１である場合、このビームについて、ＳＩ結合インデックスと選択されたｍとの間の関係は、次の式を満足するであろう：
【０１８９】
ＳＩ組み合わせインデックスｘ＝（ｋ−１）＊ｃｅｉｌ（（２ｎ−１）＊ｓｓｂｐｅｒＲＡＣＨＯｃｃａｓｉｏｎ）＋ｍ、ｍはｃｅｉｌ（（２ｎ−１）＊ｓｓｂｐｅｒＲＡＣＨＯｃｃａｓｉｏｎ）個のプリアンブルのｍ番目のプリアンブルであり、ｋは各ビームｋ＝［１，１／ｓｓｂｐｅｒＲＡＣＨＯｃｃａｓｉｏｎ］のｋ番目のＲＯである。
【０１９０】
技法６．１．３．３：ｓｓｂｐｅｒＲＡＣＨＯｃｃａｓｉｏｎ＞１である場合、ＳＩ組み合わせインデックスと選択されたｍとの間の関係は次の式を満足するであろう：ｍはｃｅｉｌ（（２ｎ−１）＊ｓｓｂｐｅｒＲＡＣＨＯｃｃａｓｉｏｎ）個のプリアンブルにおけるｍ番目のプリアンブルであり、ｋはＲＯ  ｋ＝[１，ｓｓｂｐｅｒＲＡＣＨＯｃｃａｓｉｏｎ］におけるｋ番目のビームである。
【０１９１】
技法６．４：ＳＩ要求のために予約されたプリアンブルの数Ｍが通知される場合、ＭＡＣエンティティは、ＳＩ要求のために予約されたプリアンブルの数に基づいて、各ビームのためのＲＯの数を決定する。
【０１９２】
技法６．４．２：ＭＡＣエンティティは、開始プリアンブルインデックスに基づいて、ＳＩ要求のために使用されるプリアンブルインデックスをさらに決定する。
【０１９３】
技法６．４．２．１：ｐｒｅａｍｂｌｅＦｏｒＳＩＲｅｑＩｎｄｅｘ−Ｓｔａｒｔが存在する場合、ＳＩ要求のために使用されるプリアンブルインデックスは、以下のようになる：
【０１９４】
[preambleForSIReqIndex- Start ,  preambleForSIReqIndex- Start + M-1]
【０１９５】
技法６．４．２．２：それ以外の場合、ＳＩ  要求のために使用されるプリアンブルインデックスは以下のようになる：
【０１９６】
[CB-PreamblesPerSSB+1 , CB-PreamblesPerSSB+ M]
【０１９７】
技法６．５．２：ＳＩ要求のために予約されたＭ個のプリアンブルインデックスがある場合（Ｍ≦２ｎ−１）、このビームについて、ｃｅｉｌ（（２ｎ−１）／ｍ）のＲＯが存在し、ＳＩ結合インデックスと選択されたｍとの間の関係は次の式を満足する：
【０１９８】
ＳＩ結合インデックスｘ＝（ｋ−１）＊Ｍ＋ｍ、ｍはプリアンブルＭのｍ番目のプリアンブル、ｋは各ビームｋ＝［１，ｃｅｉｌ（（２ｎ−１）／ｍ）］におけるｋ番目のＲＯ
【０１９９】
技法６．５．３：ＳＩ要求のために予約されたＭ個のプリアンブルインデックスがある場合（Ｍ＞２ｎ−１）、Ｂ個のビームについて、Ｂ＊（２ｎ−１）の異なるプリアンブル／ＲＯの組み合わせがあるはずである。次に、以下のウィンドウに従って、異なるビーム上の異なるＳＩ組み合わせに、これらのＢ＊（２ｎ−１）の異なるプリアンブル／ＲＯの組み合わせを割り当てる：
【０２００】
技法６．５．３．１：１つのＲＡＣＨの機会においてプリアンブルインデックスが増加する順。
【０２０１】
技法６．５．３．２：周波数多重化されたＲＡＣＨの機会の数が増加する順。
【０２０２】
技法６．５．３．３：ＲＡＣＨスロット内の時間多重化されたＲＡＣＨ機会の数を増加させる順。
【０２０３】
技法６．５．３．４：ＲＡＣＨスロットの数が増える順。
【０２０４】
図１７は、無線通信装置１２００の例示的な実装のブロック図である。方法１５００、１５５０、１６００、１６５０は、装置１２００によって実施することができる。いくつかの実施形態ではたとえば、方法１５００および１５５０を実装するとき、装置１２００はワイヤレスネットワークの基地局である。いくつかの実施形態では例えば、方法１６００または１６５０を実施するとき、装置１２００はユーザデバイスであってもよい。装置１２００は１つ以上のプロセッサ、例えば、プロセッサエレクトロニクス１２１０、トランシーバ回路１２１５、および無線信号の送信および受信のための１つ以上のアンテナ１２２０を含む。装置１２００は、プロセッサ電子機器１２１０によって使用されるデータおよび命令を格納するために使用されるメモリ１２０５を含む。装置１２００はまた、１つまたは複数のコアネットワークまたはネットワークオペレータの追加の機器への追加のネットワークインターフェースを含むことができる。図１７に明示的に示されていないこの追加のネットワークインターフェースは、有線（例えば、ファイバまたはイーサネット（登録商標））または無線であってもよい。
【０２０５】
図１８は、本明細書で説明される様々な方法を実装することができる無線通信システム１３００の例を示す。システム１３００は、コアネットワーク（１３１２）との通信接続を有する基地局１３０２と、１つ以上のユーザ装置１３０６と通信するための無線通信媒体１３０４とを含む。ユーザデバイス１３０６は、スマートフォン、タブレット、マシンツーマシン通信デバイス、ＩｏＴ（Ｉｎｔｅｒｎｅｔ  ｏｆ  Ｔｈｉｎｇｓ）デバイスなどである。
【０２０６】
システム情報を要求するために使用されるプリアンブル間の関係をマッピングする（および対応してマッピング解除する）ためのいくつかの技法が開示されることが理解されるであろう。いくつかの実施形態では、いくつかのプリアンブルがシステム情報要求のために予約される。ネットワークノードとＵＥの両方がシステム情報要求に使用するプリアンブルを決定できる、いくつかの追加の技術と例が記述されている。
【０２０７】
開示された実施形態および他の実施形態、モジュール、ならびに本文書に記載された機能的動作は、デジタル電子回路、または本文書に開示された構造およびそれらの構造的等価物を含むコンピュータソフトウェア、ファームウェア、もしくはハードウェア、またはそれらのうちの１つもしくは複数の組み合わせで実施することができる。開示された実施形態および他の実施形態は、１つまたは複数のコンピュータプログラム製品、すなわち、データ処理装置による実行のために、またはデータ処理装置の動作を制御するために、コンピュータ可読媒体上に符号化されたコンピュータプログラム命令の１つまたは複数のモジュールとして実装することができる。コンピュータ可読媒体は、機械可読記憶デバイス、機械可読記憶基板、メモリデバイス、機械可読伝播信号に影響を及ぼす物質の組成物、またはそれらの１つまたは複数の組合せとすることができる。用語「データ処理装置」は、例として、プログラマブルプロセッサ、コンピュータ、または複数のプロセッサもしくはコンピュータを含む、データを処理するためのすべての装置、デバイス、および機械を包含する。この装置はハードウェアに加えて、コンピュータプログラムのための実行環境を作成するコード、例えば、プロセッサファームウェア、プロトコルスタック、データベース管理システム、オペレーティングシステム、またはそれらの１つ以上の組み合わせを構成するコードを含むことができる。伝搬された信号は人工的に生成された信号、例えば、機械で生成された電気信号、光信号、または電磁信号であり、これらは、適切な受信装置への送信のために情報を符号化するために生成される。
【０２０８】
コンピュータプログラム（プログラム、ソフトウェア、ソフトウェアアプリケーション、スクリプト、またはコードとも呼ばれる）はコンパイルまたは解釈された言語を含む任意の形式のプログラミング言語で記述することができ、スタンドアロンプログラムとして、またはコンピューティング環境での使用に適したモジュール、コンポーネント、サブルーチン、またはその他のユニットとして、任意の形式で展開することができる。コンピュータプログラムは、必ずしもファイルシステム内のファイルに対応するわけではない。プログラムは他のプログラムまたはデータ（例えば、マークアップ言語文書に記憶された１つ以上のスクリプト）を保持するファイルの一部、プログラム専用の１つのファイル、または複数の協調ファイル（例えば、１つ以上のモジュール、サブプログラム、またはコードの一部を記憶するファイル）に記憶することができる。コンピュータプログラムは、１つのコンピュータ上、または１つのサイトに配置されるか、複数のサイトに分散され、通信ネットワークによって相互接続される複数のコンピュータ上で実行されるように展開することができる。
【０２０９】
本書に記載されているプロセスおよび論理フローは、１つ以上のコンピュータプログラムを実行する１つ以上のプログラマブルプロセッサによって実行され、入力データを操作し、出力を生成することによって機能を実行することができる。プロセスおよび論理フローはまた、ＦＰＧＡ（フィールドプログラマブルゲートアレイ）またはＡＳＩＣ（特定用途向け集積回路）のような特殊目的論理回路として実行することができ、装置を実装することもできる。
【０２１０】
コンピュータプログラムの実行に適したプロセッサには、１例として、汎用および特殊目的マイクロプロセッサの両方、および任意の種類のデジタルコンピュータの任意の１つ以上のプロセッサが含まれる。一般に、プロセッサは、読み出し専用メモリまたはランダムアクセスメモリ、あるいはその両方から命令およびデータを受信する。コンピュータの本質的な要素は、命令を実行するためのプロセッサと、命令およびデータを記憶するための１つ以上のメモリデバイスである。一般に、コンピュータはまた、データを記憶するための１つまたは複数の大容量記憶装置、例えば、磁気ディスク、光磁気ディスク、または光ディスクを含むか、またはそれらからデータを受信するか、またはそれらにデータを転送するか、またはそれらの両方を行うように動作可能に結合される。しかしながら、コンピュータはそのような装置を有する必要はない。コンピュータプログラム命令およびデータを記憶するのに適したコンピュータ可読媒体には、例えば半導体メモリデバイス、例えばＥＰＲＯＭ、ＥＥＰＲＯＭ、およびフラッシュメモリデバイス、磁気ディスク、例えば内蔵ハードディスクまたはリムーバブルディスク、磁気光学ディスク、およびＣＤ  ＲＯＭおよびＤＶＤ−ＲＯＭディスクを含む、すべての形態の不揮発性メモリ、媒体およびメモリデバイスが含まれる。プロセッサおよびメモリは、特殊目的論理回路によって補足され得るか、または特殊目的論理回路に組み込まれ得る。
【０２１１】
この文書は多くの詳細を含むが、これらは特許請求される発明の範囲または特許請求され得る発明の範囲に対する限定として解釈されるべきではなく、むしろ、特定の実施形態に特有の特徴の説明として解釈されるべきである。別個の実施形態の文脈で本文書に記載されている特定の特徴は、単一の実施形態において組み合わせて実施することもできる。逆に、単一の実施形態の文脈で説明される様々な特徴は複数の実施形態で別々に、または任意の適切なサブコンビネーションで実装することもできる。さらに、特徴は特定の組み合わせで動作するものとして上記で説明される場合があり、そのようなものとして最初に特許請求されてもよいが、特許請求される組み合わせからの１つまたは複数の特徴は場合によってはその組み合わせから削除されてもよく、特許請求される組み合わせは下位組み合わせまたは下位組み合わせの変形に向けられてもよい。同様に、動作は特定の順序で図面に示されているが、これは望ましい結果を達成するために、そのような動作が示された特定の順序で、または連続的な順序で実行されること、または示されたすべての動作が実行されることを必要とするものとして理解されるべきではない。
【０２１２】
いくつかの例および実装のみが開示される。説明された例および実装、ならびに他の実装に対する変形、修正、および拡張は、開示されたものに基づいてなすことができる。
【図１】
2021517779.tif 000031
【図２】
2021517779.tif 000032
【図３】
2021517779.tif 000033
【図４】
2021517779.tif 000034
【図５】
2021517779.tif 000035
【図６】
2021517779.tif 000036
【図７】
2021517779.tif 000037
【図８】
2021517779.tif 000038
【図９】
2021517779.tif 000039
【図１０】
2021517779.tif 000040
【図１１】
2021517779.tif 000041
【図１２】
2021517779.tif 000042
【図１３】
2021517779.tif 000043
【図１４】
2021517779.tif 000044
【図１５】
2021517779.tif 000045
【図１６】
2021517779.tif 000046
【図１７】
2021517779.tif 000047
【図１８】
2021517779.tif 000048
【手続補正書】
【提出日】令和2年10月1日(2020.10.1)
【手続補正１】
【補正対象書類名】特許請求の範囲
【補正対象項目名】全文
【補正方法】変更
【補正の内容】
【特許請求の範囲】
【請求項１】
無線通信のための方法であって、
モバイルデバイスによって、ランダムアクセス送信を構成してシステム情報を要求するために基地局から構成情報を受信するステップであって、前記構成情報はランダムアクセス送信機会当たりの同期信号（ＳＳ）ブロックおよび物理ブロードキャストチャネル（ＰＢＣＨ）ブロックの数を示し、前記構成情報は開始プリアンブルインデックスをさらに含む、ステップ；
前記モバイルデバイスによって、前記構成情報に基づいてＳＳおよびＰＢＣＨブロックに１つ以上の連続するランダムアクセス送信機会をマッピングするステップであって、前記システム情報を要求するために使用されるプリアンブルは、開始プリアンブルインデックスと前記マッピングされたＳＳおよびＰＢＣＨブロックとに基づいて決定される、ステップ；
前記モバイルデバイスによって、前記マッピングに基づいて前記ランダムアクセス送信を実行するステップ；
を有する方法。
【請求項２】
前記構成情報は、無線リソース制御（ＲＲＣ）メッセージで搬送される、
請求項１記載の方法。
【請求項３】
前記決定されたプリアンブルについて、前記１つ以上の連続するランダムアクセス送信機会は、（１）周波数多重送信機会の増加する順序で、（２）スロット内の時間多重機会の増加する順序で、および（３）ランダムアクセスチャネルスロットの増加する順序で順序付けられる、
請求項１記載の方法。
【請求項４】
前記構成情報は、１つのタイムスロットにおいて周波数分割多重化されるランダムアクセスチャネル送信機会の個数をさらに含む、
請求項１記載の方法。
【請求項５】
無線通信のための方法であって、
基地局によって、ランダムアクセス送信を構成してシステム情報を要求するために構成情報をモバイルデバイスに対して送信するステップであって、前記構成情報はランダムアクセス送信機会当たりの同期信号（ＳＳ）ブロックおよび物理ブロードキャストチャネル（ＰＢＣＨ）ブロックの数を示し、前記構成情報は開始プリアンブルインデックスをさらに含む、ステップ；
前記基地局によって、前記モバイルデバイスから前記ランダムアクセス送信を受信するステップであって、前記ランダムアクセス送信のために、前記構成情報に基づいて、１つ以上の連続するランダムアクセス送信機会がＳＳおよびＰＢＣＨブロックにマッピングされ、前記システム情報を要求するために使用されるプリアンブルが、開始プリアンブルインデックスと前記マッピングされたＳＳおよびＰＢＣＨブロックに基づいて決定される、ステップ；
を有する方法。
【請求項６】
前記構成情報は、無線リソース制御（ＲＲＣ）メッセージで搬送される、
請求項５記載の方法。
【請求項７】
前記決定されたプリアンブルについて、前記１つ以上の連続するランダムアクセス送信機会は、（１）周波数多重送信機会の増加する順序で、（２）スロット内の時間多重機会の増加する順序で、および（３）ランダムアクセスチャネルスロットの増加する順序で順序付けられる、
請求項５記載の方法。
【請求項８】
前記構成情報は、１つのタイムスロットにおいて周波数分割多重化されるランダムアクセスチャネル送信機会の個数をさらに含む、
請求項５記載の方法。
【請求項９】
前記システム情報は、Ｍｓｇ１に基づいて要求される、
請求項１または５記載の方法。
【請求項１０】
プロセッサを備える無線通信装置であって、前記プロセッサは、
ランダムアクセス送信を構成してシステム情報を要求するために基地局から構成情報を受信するステップであって、前記構成情報はランダムアクセス送信機会当たりの同期信号（ＳＳ）ブロックおよび物理ブロードキャストチャネル（ＰＢＣＨ）ブロックの数を示し、前記構成情報は開始プリアンブルインデックスをさらに含む、ステップ；
前記構成情報に基づいてＳＳおよびＰＢＣＨブロックに１つ以上の連続するランダムアクセス送信機会をマッピングするステップであって、前記システム情報を要求するために使用されるプリアンブルは、開始プリアンブルインデックスと前記マッピングされたＳＳおよびＰＢＣＨブロックとに基づいて決定される、ステップ；
前記プリアンブルに基づいて前記ランダムアクセス送信を実行するステップ；
を実施するように構成される、
無線通信装置。
【請求項１１】
プロセッサを備える無線通信装置であって、前記プロセッサは、
ランダムアクセス送信を構成してシステム情報を要求するために構成情報をモバイルデバイスに対して送信するステップであって、前記構成情報はランダムアクセス送信機会当たりの同期信号（ＳＳ）ブロックおよび物理ブロードキャストチャネル（ＰＢＣＨ）ブロックの数を示し、前記構成情報は開始プリアンブルインデックスをさらに含む、ステップ；
前記モバイルデバイスから前記ランダムアクセス送信を受信するステップであって、前記ランダムアクセス送信のために、前記構成情報に基づいて、１つ以上の連続するランダムアクセス送信機会がＳＳおよびＰＢＣＨブロックにマッピングされ、前記システム情報を要求するために使用されるプリアンブルが、開始プリアンブルインデックスと前記マッピングされたＳＳおよびＰＢＣＨブロックとに基づいて決定される、ステップ；
を実施するように構成される、
無線通信装置。
【請求項１２】
前記構成情報は、無線リソース制御（ＲＲＣ）メッセージで搬送される、
請求項１０または１１記載の装置。
【請求項１３】
前記決定されたプリアンブルについて、前記１つ以上の連続するランダムアクセス送信機会は、（１）周波数多重送信機会の増加する順序で、（２）スロット内の時間多重機会の増加する順序で、および（３）ランダムアクセスチャネルスロットの増加する順序で順序付けられる、
請求項１０または１１記載の装置。
【請求項１４】
前記構成情報は、１つのタイムスロットにおいて周波数分割多重化されるランダムアクセスチャネル送信機会の個数をさらに含む、
請求項１０または１１記載の装置。
【請求項１５】
前記システム情報は、Ｍｓｇ１に基づいて要求される、
請求項１０または１１記載の装置。
【国際調査報告】
2021517779.tif 000049
2021517779.tif 000050